(57)【特許請求の範囲】
【請求項１】
角柱状の接合体に、多段に歯部を設けたバンドと、該バンドに外嵌して案内され前記歯部に爪を介して不可逆状態で係合する締結体とから成る締結手段を設け、接合体の外面とバンドの内面間に縄を挟持し、押上げ竿と協働して雪吊りに供される雪吊り駒において、
前記締結手段が、バンドの一端側に固定子を一体とし、他端側に前記締結体を上段と下段に設けて成り、
前記接合体が、その一面に前記締結手段の固定子の解放手段を配設し、他面に押上げ竿の嵌着部を配設するとともに、該押上げ竿の上部で摺動自在に案内される摺動駒の案内脱却部を併設して成る雪吊り駒。
【請求項２】
前記接合体の外面にフックまたは上面を開口した枝受けを設けて成る請求項１記載の雪吊り駒。
【請求項３】
上部に雪吊り駒を嵌着する嵌着部を配設するとともに、摺動駒を摺動自在に案内して成る上部押上げ竿と、該上部押上げ竿に小径軸部で上下摺動自在に内嵌されるとともに、特定位置で軸心回りの回転範囲内で揺動自在に軸支される下部押上げ竿と、下部押上げ竿の小径軸部に外嵌されるとともに、上部押上げ竿の内部に一定姿勢で遊嵌され、前記小径軸部に植設された位置決めピンに案内溝を介して位置決めかつ上下摺動自在に案内される作動子と、前記摺動駒に一端が係着され、他端が該作動子に係着される連結棒と、上部押上げ竿の内部に一端が係着され、他端が前記作動子に所要の取付け荷重で圧接されるスプリングとから成る雪吊り駒用押し上げ竿。
【請求項４】
前記上部押上げ竿に縄切断手段を配設して成る請求項３記載の雪吊り駒用押上げ竿。
【発明の詳細な説明】
【０００１】
【発明の属する技術分野】
本発明は、樹木や庭木の枝を冬期間の雪荷重から保護するための雪吊り技術に関する。
【０００２】
【従来の技術】
本出願人は、雪吊り技術に関して種々なる先行発明を提案済みであるが、特開２００１-３４６４５７号公報に開示された先行発明は、枝を支えるために吊り下がった縄を枝に絡めて絡めた縄を挟持させるための操作部を押上げ竿によって押上げ、縄に固定されて枝を支え空中に残される雪吊り駒の軽量化を図ったものであるが、前記操作部が棒状の竿本体に横向きに装着されるため、雪吊り作業時に対象外の枝に接触して作業性が悪く、また、バンドを引き込んで縄の挟持力を発現するスプリングが露出状態であるため、作業時に小枝や葉がスプリングに挿まれたり、セット時には両手で挟みつけるような力を要するなどの問題があった。
【０００３】
【発明が解決しようとする課題】
本発明は上記に鑑み、雪吊り駒を押上げ竿に嵌着した状態で作業性が良く、スプリングなどの作動部材を露出させないで押上げ竿の内部に収納することにより作動不良や雪吊り駒のセット時の難度を解消できる雪吊り駒とその駒用押上げ竿を提供するものである。
【０００４】
【課題を解決するための手段】
上記課題を解決する請求項１の雪吊り駒は、所要形状の接合体に、歯形を多数配列した歯部を有するバンドと、該バンドに外嵌して案内されるとともに、前記歯部に爪を介して不可逆状態で係合する締結体とから成る締結手段を設けて成り、接合体の外面とバンドの内面間に縄を挟持し、押上げ竿と協働して雪吊りに供される雪吊り駒において、
前記締結手段が、バンドの一端側に固定子を一体とし、他端側に前記締結体を上段と下段に所要間隔を配して成り、
前記接合体が、その一面に前記締結手段の固定子の解放手段を配設し、他面に押上げ竿の嵌着部を配設するとともに、該押上げ竿の上部で摺動自在に案内される摺動駒の案内脱却部を併設して成る。
請求項２の雪吊り駒は、請求項１の雪吊り駒において、接合体の外面にフック又は／及び上面を開口したＵ状の枝受けを具設して成る。
請求項３の雪吊り駒用押上げ竿は、上部に雪吊り駒を嵌着する嵌着部を配設するとともに、摺動駒を摺動自在に案内して成る上部押上げ竿と、該上部押上げ竿に小径軸部で上下摺動自在に内嵌されるとともに、位置決め手段により特定位置で軸心回りに所要回転範囲内で揺動自在に軸支される下部押上げ竿と、下部押上げ竿の小径軸部に外嵌されるとともに、上部押上げ竿の内部に一定姿勢で遊嵌され、前記小径軸部に植設された位置決めピンに案内溝を介して位置決めかつ上下摺動自在に案内される作動子と、前記摺動駒に一端が係着され、他端が該作動子に係着される連結棒と、上部押上げ竿の内部に一端が係着され、他端が前記作動子に所要の取付け荷重で圧接されるスプリングとから成る。
請求項４の雪吊り駒用押上げ竿は、前記上部押上げ竿に縄切断手段を配設して成る。
【０００５】
【発明の実施の形態】
作動子を一定姿勢で上部押上げ竿の内部に遊嵌するとは、作動子の外周に縦設した案内溝に上部押上げ竿に固定したピンを案内するものから、作動子の外周に植設したピンを上部押上げ竿に縦設した案内溝に案内するものがあり、下部押上げ竿の小径軸部において該小径軸部に植設した位置決めピンを介して上下摺動自在に案内する案内溝は、左向き横溝と該横溝に連接する縦溝とから成る逆Ｌ形のものや、右向き横溝と該横溝に連接する縦溝とから成るＬ形のものが選択される。前記位置決めピンは丸ピンや角形ピンなどが選択される。摺動駒と作動子とを連結する連結棒は所要の張力を有して撓み自在な紐状のものから、ワイヤーロープや金属棒が選択される。
【０００６】
【実施例】
本発明を実施例により具体的に説明すると、雪吊り駒ａは図１に示すように、縦長角柱状の接合体１と締結手段ｂとから成っている。接合体１は上面右後部隅角にフック２を立設し、左側の上部切欠き３と下部切欠き４に渡って貫設された挿通孔５に挿通される丸棒状のストッパー６と、下部切欠き４から底面に抜ける挿通溝７に挿通されて上部がストッパー６の下部にビス止めされ、下端部に所要長さの引き紐８が係着されたスライド板９とから成る解放手段ｃが配設され、ストッパー６に対向する面には図３（ａ）に示すように、角穴状の凹部１０を横設し、右側には図３（ｂ）に示すように、縦方向中間部に前方に開口部１１を設けた嵌着部１２と、嵌着部１２に連接して最大溝幅の凹部１３を配設し、さらに、下面に向けてＴ溝１４を貫設し、上面と嵌着部１２との間の右側面には角穴状の嵌入凹部１５を横設し、上面から嵌着部１２に渡って嵌入凹部１５を通る挿通溝１６を貫設して成っている。
締結手段ｂは図２に示すように、バンド１９の一面には長手方向に沿って歯形を配した歯部１７を設け、一端部には縦断面角形で歯部１７の配設側に固定子１８を突設し、他端側にはバンド１９に外嵌して案内されるとともに歯部１７に爪（図外）を介して不可逆状態で上下２段に渡って係合する締結体２０を設けて成っている。
これらを組み合わせるには図１に示すように、バンド１９の固定子１８を接合体１の上部切欠き３の左右に対面する面に横設した凹部１０に遊嵌し、バンド１９の前記一端部の外面を解放手段ｃのストッパー６で抑え、バンド１９の他方は接合体１の右側面に横設した嵌入凹部１５に遊嵌した締結体２０に挿通溝１６を経て上段側で挿通係合し、下段に下段の締結体２０を係合して成り、図１に示す状態で提供される。
【０００７】
次に、雪吊り駒用押上げ竿（以下、単に押上げ竿とする。）Ａは図１１に示すように、上部押上げ竿２１と下部押上げ竿２２とから成る。上部押上げ竿２１は図７に示すように、断面矩形状で縦長な角棒体２３と、図９（ａ）に示す円筒部２４とから成り、角棒体２３はその下部が円筒部２４の上部のパイプ２５の内周に接合された接合座２６の二股部２７（図９（ｂ）に示す。）に嵌入され、その四周をパイプ２５と一体に接合され、さらに図７に示すように、その上部左側には後方に切欠き２８を設けて突出する突出部２９と、その下方に嵌着部３０を突設し、嵌着部３０の突端部で幅方向中央寄りには雪吊り駒ａに設けた締結手段ｂのバンド１９を通すための切欠き３１を設け、右側には図８に示す摺動駒３２の幅が通過するに足る幅で所要深さの蓋取付け溝３３を凹設するとともに、溝３３の上下端に取付け座３４を残し、さらに、同幅で所要深さの案内溝３５を凹設し、さらに、案内溝３５内で上端を嵌着部３０の下端に一致させ、最大幅を案内溝３５の溝幅と同一とし、小径幅を摺動駒３２の絞り幅部３６が通過するに足る幅としたＴ字溝３７を左側外面に向けて貫設し、上方の取付け座３４にはネジ孔３８を螺設し、下方の取付け座３４上の蓋取付け溝３３の両側方にはそれぞれ外面に向けてピン挿通孔３９を貫設し、かつ、下方の取付け座３４の案内溝３５の底面に至る垂直壁４０の幅方向中央の所要位置から円筒部２４の接合座２６の下端に渡って所要径の挿通孔４１を貫設連通して成り、円筒部２４の下部ではパイプ２５の下端から中心部に軸挿通孔４２を貫設した軸受け４３を内設するとともに、パイプ２５の外面にビス止めした案内体４４から軸受け４３の周部を貫通してスプリング４５の弾発力によって軸心方向に位置決めピン４６を突出する位置決め手段Ｂを設けて成る。
したがって、上部押上げ竿２１に対して下部押上げ竿２２が軸受け４３の軸挿通孔４２に挿通される小径軸部４７において上下摺動自在に接合されるとともに、小径軸部４７の周面に図９（ｄ）に示すように、所要回転角に渡って位置決めピン４６を遊嵌する溝幅で凹設した係合溝４８と該位置決めピン４６の係合により、この位置で軸心回りに揺動自在に軸支される。
小径軸部４７にはパイプ２５に内周に遊嵌する所要背丈の作動子４９が中心に掘設した嵌入孔５０に外嵌し、作動子４９は外周面に縦設した案内溝５１にパイプ２５の外周から位置決めされ内周に突設した案内子５２を案内することで一定姿勢で上下動する。その上、小径軸部４７の上部に植設した位置決めピン５３を、図９（ｃ）に示すように、作動子４９の周部を貫通した左向き横溝５４と横溝５４に連接する縦溝５５から成る逆Ｌ形の案内溝５６に案内することで、縦溝５５では上下動を許容し、横溝５４では作動子４９の上昇端を位置決めする。作動子４９は、一端を接合座２６の下面に係着し、他端を作動子４９の上面に所要の取付け荷重で圧接したスプリング５７の圧縮力が負荷されている。作動子４９の上面から嵌入孔５０の上端へ貫通した貫通孔５８には、紐状の連結棒５９の他端が挿通されて嵌入孔５０の上端で抜け止めされて成る。
図９（ａ）に示す連結棒５９の一端は接合座２６の下端から角棒体２３の垂直壁４０に渡って貫設された挿通孔４１を経て案内溝３５へ取り出され、その端部が摺動駒３２の長尺案内部６０の前端から穿設した取付け孔６１に挿通され、両側部に形成した切欠き部６２の一側から前記取付け孔６１に連通して開孔したネジ孔６３にビス６４をネジ込み、ビス６４で連結棒５９の一端を摺動駒３２に固定する。そこで摺動駒３２は案内溝３５から左側外面に向けて貫設されたＴ字溝３７の最大溝幅部６５にその短尺案内部６６が挿通されて長尺案内部６０が案内溝３５に収まる。
この状態で角棒体２３の上部に雪吊り駒ａを嵌着するに当って、角棒体２３の凸状の嵌着部３０（図７（a））を接合体１の凹状の嵌着部１２（図３）に嵌入すれば、角棒体２３の突出部２９が接合体１の上面に滑り込み、切欠き２８でフック２の足をかわし、嵌着部３０と協働して接合体１を挟持するとともに、摺動駒３２の短尺案内部６６が接合体１の凹状の嵌着部１２に連接するＴ溝１４にその位相を合致させて凹部１３に嵌入する。このとき、凸状の嵌着部３０は切欠き３１にバンド１９を案内し、短尺案内部６６の前面中央の凹溝６７でバンド１９を案内する。
そこで、摺動駒３２の長尺案内部６０を指で下方へ押し下げると、短尺案内部６６がＴ溝１４に嵌入し、角棒体２３に対して雪吊り駒ａが抜け止め状態で接合される。
次いで、下端部をピン挿通孔３９に挿通したピン６８に軸支された蓋６９を蓋取付け溝３３に収め、上端部を取付け座３４のネジ孔３８に螺合する取付けネジ７０で固定し、雪吊り作業に供される。
【０００８】
図１０に示したものは縄切り手段Ｃで、上部押上げ竿２１の円筒部２４に近い角棒体２３の短尺の一面に図１０（ａ）に示すように所要下向き傾斜角で取り付けられるカッター７１とカッター７１に対面して図１０（ｂ）に示すように、凹部に縄７２を案内する縄ガイド７３と、角棒体２３の長尺面を貫通して左右に摺動自在に軸支され、一端部に縄ガイド７３を接合し、他端部でスプリング７４を外嵌し、一端を角棒体２３の長尺面に係着するスプリング７４の他端を大径部７５で支持した作動棒７６とから成る。
縄切り手段Ｃによれば、角棒体２３から雪吊り駒ａを分離した後で、押上げ竿Ａを引き下げれば、カッター７１が縄７２に食い込み、スプリング７４の弾発力によって縄７２がカッター７１側へ引き込まれて縄７２が切断される。
図４に示した接合体１は、図３に示した接合体１のフック２に代えて、上面を開口したＵ状の枝受け７７を左側面に接合したもので、開口面には捩りバネなどの弾発力付勢手段を有するストッパー７８を開閉自在に設けている。
【０００９】
雪吊り駒ａを装着した押上げ竿Ａによる雪吊り作業を説明すると、図１１に示すように、上端を支柱（図外）に結縛されて垂下する縄７２の下端を雪吊り駒ａのバンド１９と接合体１の上面間に挿し入れ、雪吊りする枝７９の下面を巻くように押上げ竿Ａを押し上げ、縄７２の下部をつかんだままさらに押上げ竿Ａを押し上げ、十分に枝７９を支える張力が発現した状態でフック２を枝７９より上方の縄７２に引っ掛け、その状態で下部押上げ竿２２を矢印方向へ回動すると、位置決めピン５３が案内溝５６の横溝５４から外れ、作動子４９はスプリング５７の圧縮弾発力で瞬時に降下し、軸受け４３の上面に一体のクッション８０に所要の圧力で当接し、同時に連結棒５９を介して摺動駒３２が引き下げられ、下方の締結体２０を短尺案内部６６が瞬時に押し下げ、バンド１９は勢いよく引き絞られてその内面と接合体１の上面との間で縄７２を挟持する。その結果、縄７２は所定の張力で枝７９を支えて冬期の雪荷重や暴風などから枝（葉群なども含む）７９を保護する。
縄７２の挟持締結後は、摺動駒３２の短尺案内部６６は接合体１のＴ溝１４から脱却しているので、押上げ竿Ａを手前側へ捩れば、上部押上げ竿２１の角棒体２３の嵌着部３０は接合体１の開口部１１を介して嵌着部１２から外れ、雪吊り駒ａのみが頭上に残される。
この時点で、縄切り手段Ｃを設けたものであれば押上げ竿Ａを引き下げると残部の縄７２を切断できる。
【００１０】
再度押上げ竿Ａに雪吊り駒ａをセットする要領を説明すると、先ず、位置決め手段Ｂの位置決めピン４６を係合溝４８から引き抜き、下部押上げ竿２２を引き下げると、小径軸部４７に植設した位置決めピン５３が、作動子４９の案内溝５６の下端（縦溝５５の下端）に係着して下降端に達するから、下部押上げ竿２２を図１１に示す矢印方向と逆方向に右回転すれば位置決めピン５３は案内溝５６の横溝５４に係合し、小径軸部４７と作動子４９とが一体となる。そこで下部押上げ竿２２を地上に立て、上部押上げ竿２１を両手でつかみ体重を懸けると、上部押上げ竿２１はスプリング５７を圧縮しながら降下し、遂には位置決め手段Ｂの位置決めピン４６がスプリング４５の弾発力で小径軸部４７の係合溝４８に係合して自動的に下降が停止され初期操作が完了となる。この後の押上げ竿Ａに対する雪吊り駒ａの接合は前記の要領で成される。
【００１１】
雪吊り駒ａの回収について説明すると、冬期間が過ぎ雪吊りを解消するときは、解放手段ｃの引き紐８を引けば、スライド板９と共にストッパー６が下げられ、締結手段ｂのバンド１９の基部が開放されるから、引き紐８でゆさぶることによりバンド１９の弾性で固定子１８が凹部１０から外れ、縄７２から雪吊り駒ａを回収できる。雪吊り駒ａは小型軽量であるから安全な回収作業となる。
なお、雪吊り駒ａと上部押上げ竿２１の角棒体２３との接合においては、角棒体２３突出部２９に代えて、接合体１の嵌入凹部１５に嵌入する角だぼ（図外）を突出して接合することもできる。
【００１２】
ところで、本発明の上部押上げ竿２１の上下摺動に関連する実施例として摺動駒３２の自動操作機構について説明すると、図１２に示すように、上部押上げ竿２１と下部押上げ竿２２との位置決め手段Ｂにおいて、位置決めピン４６を係合する小径軸部４７における係合溝４８の溝幅を下部押上げ竿２２に対して上部押上げ竿２１を押し下げできる降下代ｔ（摺動駒３２の短尺案内部６６とＴ溝１４との係合代である。）分だけ幅広にするとともに、上部押上げ竿２１をｔだけ降下した位置で、位置決め手段Ｂの反対側からパイプ２５と軸受け４３の肉厚を貫通して螺設したネジ孔８１に止めネジ８２を螺合し、小径軸部４７には止めネジ８２の軸端を係合する横向きＶ溝８３を周設したもので、連結棒５９は剛直な金属棒かある程度の弾性変形を許容するワイヤーなどであり、しかも、その長さはｔだけ上部押上げ竿２１を降下したときに、摺動駒３２の短尺案内部６６が角棒体２３のＴ字溝３７の最大溝幅部６５に嵌入できる長さが決定される。
すなわち、摺動駒３２の短尺案内部６６が角棒体２３の最大溝幅部６５に嵌入した状態では、角棒体２３に接合する雪吊り駒ａにおける接合体１の凹部１３で短尺案内部６６がＴ溝１４に対峙している。
そこで、止めネジ８２を緩めてその軸端をＶ溝８３から脱却させると、下部押上げ竿２２は作動子４９とともに降下代ｔ分だけ降下するから、図１３に示すように、摺動駒３２の短尺案内部６６は接合体１のＴ溝１４にｔ分の長さだけ嵌入し、蓋６９の開閉操作なしに角棒体２３に雪吊り駒ａを自動的に接合できる。
したがって、角棒体２３へ雪吊り駒ａを接合するときは、上部押上げ竿２１をｔ分降下させて止めネジ８２で固定し、その状態で雪吊り駒ａの凹状の嵌着部１２に角棒体２３の凸状の嵌着部３０を嵌着させれば、摺動駒３２の短尺案内部６６は接合体１の凹部１３に嵌入する。雪吊り作業時に上部押上げ竿２１の降下が心配の場合は、降下代ｔの空間に小軸軸部４７を案内できる溝を有した二股状のストッパーを挿し込めばよい。
【００１３】
【発明の効果】
本発明の押上げ竿によれば、縄を固定するスプリングやスプリングの弾発力で操作される部材がコンパクトに上部押上げ竿の内部に収納されるため、小枝や葉などに妨げられる作動不良を起すことなく、雪吊り駒が上部押上げ竿にまとまって接合されるから、雪吊り作業効率がよく、
前記スプリングの初期状態のセット時には両手の握力はさほど必要なく、体重をセット圧として使用できるから両手のみの挟持圧によるセットに比して省力的にセットできる。
また、押上げ竿と協働する雪吊り駒は、締結手段としてのバンドに噛合する締結体と、該締結体に作用する摺動駒とが露出していないので、枝や葉などに干渉されることもなく、その締結作動が確実で信頼性の高い。その解放手段はバンドの弾性反力に起因する摩擦力に抗してストッパーを引き下げるだけでバンドの固定基部（固定子）を接合体から脱却できるので、構造簡易で確実性がある。
【図面の簡単な説明】
【図１】本発明に係わる雪吊り駒ａの斜視図。
【図２】締結手段の斜視図。
【図３】接合体の構造説明図で（ａ）はその斜視図、（ｂ）は（ａ）のＰ方向から見た斜視図。
【図４】接合体の他の実施例としての斜視図。
【図５】上部押上げ竿と雪吊り駒ａとの接合状態の説明図。
【図６】図５のＡ-Ａ矢視断面図。
【図７】上部押上げ竿における角棒体の部分構造説明図で（ａ）はその斜視図、（ｂ）は（ａ）のＱ方向から見た斜視図。
【図８】摺動駒の斜視図。
【図９】上部押上げ竿の作動部の説明図で（ａ）はその要部断面図、（ｂ）は（ａ）のＢ-Ｂ部断面図、（ｃ）は（ａ）のＣ-Ｃ矢視断面図、（ｄ）は小径軸部のＤ-Ｄ部断面図。
【図１０】縄切り手段の説明図で（ａ）はその正面図、（ｂ）は（ａ）のＥ-Ｅ矢視図。
【図１１】本発明の雪吊り駒ａ及び押上げ竿Ａの使用状態の説明図。
【図１２】上部押上げ竿における摺動駒の自動操作機構の説明図。
【図１３】摺動駒の自動操作状態の説明図。
【符号の説明】
１  接合体
２  フック
３  上部切欠き
４  下部切欠き
５  挿通孔
６  ストッパー
７  挿通溝
８  引き紐
９  スライド板
１０  凹部
１１  開口部
１２  嵌着部
１３  凹部
１４  Ｔ溝
１５  嵌入凹部
１６  挿通溝
１７  歯部
１８  固定子
１９  バンド
２０  締結体
２１  上部押上げ竿
２２  下部押上げ竿
２３  角棒体
２４  円筒部
２５  パイプ
２６  接合座
２７  二股部
２８  切欠き
２９  突出部
３０  嵌着部
３１  切欠き
３２  摺動駒
３３  蓋取付け溝
３４  取付け座
３５  案内溝
３６  絞り幅部
３７  Ｔ字溝
３８  ネジ孔
３９  ピン挿通孔
４０  垂直壁
４１  挿通孔
４２  軸挿通孔
４３  軸受け
４４  案内体
４５  スプリング
４６  位置決めピン
４７  小径軸部
４８  係合溝
４９  作動子
５０  嵌入孔
５１  案内溝
５２  案内子
５３  位置決めピン
５４  横溝
５５  縦溝
５６  案内溝
５７  スプリング
５８  貫通孔
５９  連結棒
６０  長尺案内部
６１  取付け孔
６２  切欠き部
６３  ネジ孔
６４  ビス
６５  最大溝幅部
６６  短尺案内部
６７  凹溝
６８  ピン
６９  蓋
７０  取付けネジ
７１  カッター
７２  縄
７３  縄ガイド
７４  スプリング
７５  大径部
７６  作動棒
７７  枝受け
７８  ストッパー
７９  枝
８０  クッション
８１  ネジ孔
８２  止めネジ
８３  Ｖ溝
ａ  雪吊り駒
ｂ  締結手段
ｃ  解放手段
Ａ  雪吊り駒用押上げ竿
Ｂ  位置決め手段
Ｃ  縄切り手段
【図１】
0004129973.tif 000002
【図２】
0004129973.tif 000003
【図３】
0004129973.tif 000004
【図４】
0004129973.tif 000005
【図５】
0004129973.tif 000006
【図６】
0004129973.tif 000007
【図７】
0004129973.tif 000008
【図８】
0004129973.tif 000009
【図９】
0004129973.tif 000010
【図１０】
0004129973.tif 000011
【図１１】
0004129973.tif 000012
【図１２】
0004129973.tif 000013
【図１３】
0004129973.tif 000014